(57)【要約】【課題】ＭＰＥＧ−２フォーマットに従ってマルチメディアデータを伝送する多重パケットストリームの処理方法に関する。【解決手段】多重パケットストリーム（１０）は、低ビットレート送信チャネル（１４１〜１４ｎ）を有する中間ネットワーク（１２）に高ビットレートで送信される。送信チャネルが送信する低ビットレートストリーム（１６１〜１６ｎ）にデータのパケット（１〜４４）を挿入するために高ビットレートストリーム（１０）を逆多重化するステップと、低ビットレートストリームの組を同期させるようこれらの低ビットレートストリームでデータのパケットの挿入を同期パケット（Ｍ１〜Ｍ４）の挿入と交互に行い、低ビットレートストリームがデータのパケットと同期パケットとの間で同じ交番及び同じ低ビットレートを有して中間ネットワークで送信されるようにするステップとを実行する中間ネットワークの上流で高ビットレートストリームが扱われる。【選択図】図１
2010103990.tif 000002
【特許請求の範囲】
【請求項１】
ＭＰＥＧ−２タイプのフォーマットに従ってマルチメディアデータを伝送する多重パケットのストリームを処理する方法であって、該多重パケットのストリームは、低ビットレートでの送信チャネルを有する中間ネットワークに高ビットレートで送信される高ビットレートストリームである方法において、
前記送信チャネルによって送信される低ビットレートストリームにデータのパケットを挿入するために前記高ビットレートストリームを逆多重化するステップと、
低ビットレートストリームの組を同期させるように、該低ビットレートストリームで前記データのパケットの挿入を同期パケットの挿入と交互に行い、該低ビットレートストリームが前記データのパケットと前記同期パケットとの間で同じ交番及び同じ低ビットレートを有して前記中間ネットワークで送信されるようにするステップと
を実行する前記中間ネットワークの上流で前記高ビットレートストリームが扱われる、ことを特徴とする方法。
【請求項２】
前記低ビットレートストリームでの前記同期パケットのポジショニングの同期は、前記低ビットレートストリームに前記同期パケットを同時に挿入することで得られる、ことを特徴とする請求項１記載の方法。
【請求項３】
各同期パケットは、該同期パケットが挿入される送信チャネルの識別子を送信する、ことを特徴とする請求項１又は２記載の方法。
【請求項４】
メモリが前記高ビットレートストリームの逆多重化から前記データのパケットを記憶し、コントローラが前記低ビットレートストリームにおける前記同期パケットの導入期間を決定する、ことを特徴とする請求項１乃至３のうちいずれか一項記載の方法。
【請求項５】
前記メモリから挿入される状態にあるデータのパケットがない場合にフィラーパケットが前記低ビットレートストリームに挿入される、ことを特徴とする請求項４記載の方法。
【請求項６】
２つの連続するデータのパケットが２つの別個のストリームに割り当てられるように前記データのパケットが続けて異なる低ビットレートストリームに割り当てられる、ことを特徴とする請求項１乃至５のうちいずれか一項記載の方法。
【請求項７】
前記データのパケットが所定の分配規則に従って割り当てられる、ことを特徴とする請求項６記載の方法。
【請求項８】
同時に挿入される同期パケットについて同じであるシーケンス番号が前記同期パケットに割り当てられる、ことを特徴とする請求項１乃至７のうちいずれか一項記載の方法。
【請求項９】
前記シーケンス番号は、同じ低ビットレートストリームの２つの連続する同期パケットの間で増加する、ことを特徴とする請求項８記載の方法。
【請求項１０】
同時に挿入される同期パケットについて同じであるプログラム時間リファレンスが前記同期パケットに挿入される、ことを特徴とする請求項１乃至９のうちいずれか一項記載の方法。
【請求項１１】
前記プログラム時間リファレンスはシーケンス番号として使用される、ことを特徴とする請求項１０記載の方法。
【請求項１２】
２つの別個の送信チャネルに従って冗長的に同じストリームが送信される、ことを特徴とする請求項１乃至１１のうちいずれか一項記載の方法。
【請求項１３】
同じチャネルが時間に従って異なるチャネルにより冗長ストリームを送信する、ことを特徴とする請求項１２記載の方法。
【請求項１４】
送信チャネルが時間的に不連続に低ビットレートストリームを送信する、ことを特徴とする請求項１乃至１３のうちいずれか一項記載の方法。
【請求項１５】
前記中間ネットワークは、ＭＰＥＧ−２タイプのフォーマットに従ってマルチメディアデータを伝送する、ことを特徴とする請求項１乃至１４のうちいずれか一項記載の方法。
【請求項１６】
ＭＰＥＧ−２タイプのフォーマットに従ってマルチメディアデータを伝送する多重パケットのストリームの生成のための方法であって、該多重パケットのストリームは、低ビットレート送信チャネルを有する中間ネットワークに高ビットレートで送信される高ビットレートストリームである方法において、
同期パケットに対してフィルタ処理を行うステップと、フィラーパケットに対してフィルタ処理を行うステップと、冗長である送信チャネルのパケットに対してフィルタ処理を行うステップとを有し、低ビットレートストリームの組を同期させるようにデータのパケットを抽出するステップと、
前記低ビットレートストリームに存在する同期パケットを用いて前記高ビットレートストリームで前記データのパケットを多重化するステップと
を実行する前記中間ネットワークの出力で前記高ビットレートストリームが生成される、ことを特徴とする方法。
【請求項１７】
ＭＰＥＧ−２タイプのフォーマットに従ってマルチメディアデータを伝送する多重パケットのストリームを処理することを目的とするデマルチプレクサであって、低ビットレート送信チャネルを介して高ビットレートストリームの逆多重化からデータのパケットを送信する手段を有するデマルチプレクサにおいて、
前記高ビットレートストリームを逆多重化し、前記低ビットレート送信チャネルによって送信される低ビットレートストリームにデータのパケットを挿入する手段と、
低ビットレートストリームの組を同期させるように、該低ビットレートストリームで前記データのパケットの挿入を同期パケットの挿入と交互に行い、該低ビットレートストリームが、請求項１乃至１６のうちいずれか一項記載の方法に従って、前記データのパケットと前記同期パケットとの間で同じ交番及び同じ低ビットレートを有して中間ネットワークで送信されるようにする手段と
を有することを特徴とするデマルチプレクサ。
【請求項１８】
ＭＰＥＧ−２タイプのフォーマットに従ってマルチメディアデータを伝送する多重パケットのストリームを生成することを目的とするマルチプレクサであって、該多重パケットのストリームは、低ビットレート送信チャネルによって送信される低ビットレートストリームから生成される高ビットレートストリームであるマルチプレクサにおいて、
前記低ビットレートストリームに挿入されている同期パケットを用いて高ビットレートストリームで前記低ビットレート送信チャネルによって送信される前記低ビットレートストリームを多重化し、前記低ビットレートストリームが、請求項１乃至１６のうちいずれか一項記載の方法に従って、データのパケットと前記同期パケットとの間で同じ交番及び同じ低ビットレートを有して中間ネットワークで送信されるようにする手段を有することを特徴とするマルチプレクサ。
【発明の詳細な説明】
【技術分野】
【０００１】
本発明は、概して、ＭＰＥＧ−２タイプのフォーマットに従ってマルチメディアデータを伝送する多重パケットのストリームを処理する方法に関する。
【背景技術】
【０００２】
デジタル送信器とデジタル受信器との間のデータのストリームの送信のために通常実施されている先行技術の方法では、データのストリームは、パケットの形で多重化された複数のコンポーネントから構成され、これらの異なるコンポーネントの同期を組み込む。一般に、考えられるコンポーネントには、原則、下記の３つのタイプがある：
・表示される画像に関する情報を伝送するビデオコンポーネント、
・再生される音響に関する情報を伝送するオーディオコンポーネント、
・一般的に表示画像に表示されるためのテキストデータ等のあらゆるタイプのプライベートデータであってよい他のデータ（例えば、標準ＤＶＢ（Digital  Video  Broadcast）に従って定義されるサブタイトルや、テレテキスト標準を用いるデータ（それ自体は例えばＭＰＥＧ−２パケットで伝送されてよい。））。
【０００３】
これらの種々のコンポーネントは、通常、ＤＶＢ標準又はＭＰＥＧ−２標準を用いて同じデータストリームで多重化されて伝送される。以下、この同じストリームは、高ビットレートストリームと呼ばれる。
【０００４】
次いで、高ビットレートストリームは、受信に続いて、多重化され、種々のコンポーネントは、オーディオ復号化、ビデオ復号化、又はサブタイトルデータのためのテキスト復号化を実行する基本復号化モジュールに夫々送られる。
【先行技術文献】
【特許文献】
【０００５】
【特許文献１】米国特許出願公開第２００５／０３９０６４（Ａ１）号明細書
【特許文献２】米国特許出願公開第２００２／１１６７１５（Ａ１）号明細書
【特許文献３】米国特許出願公開第２００３／０７２３７６（Ａ１）号明細書
【特許文献４】米国特許出願公開第２００７／２６８３６２（Ａ１）号明細書
【発明の概要】
【発明が解決しようとする課題】
【０００６】
高ビットレートストリームを用いるＭＰＥＧ−２アプリケーションの多くは、ますます高いビットレートを有する。このような増大は、特に、例えば、“衛星−第２世代”のためのＤＶＢ−Ｓ２若しくは“地上波−第２世代”のためのＤＮＢ−Ｔ２等のＤＶＢプロトコル又はインターネットプロトコル“ＩＰ”のようなプロトコルの発展によるものである。
【０００７】
しかし、このようなマルチメディアデータの伝送は、時に、その上流及び下流の高ビットレートのデータストリームよりも低いビットレートを送信チャネルが有するところの中間ネットワークを介して、送信器から受信器へ確保されなければならない。
【０００８】
この問題を解消するために知られている１つの解決法は、１よりも多い並列チャネルを介して高ビットレート信号からのパケットの送信を可能にするために、中間ネットワークの上流、すなわち入力側で、高ビットレートストリームの逆多重化を用いる。次に、中間ネットワークからの出力側で、これらの並列チャネルによって送信される信号の多重化が、中間ネットワークの下流での新しいビットレートストリームの生成を可能にする。
【０００９】
しかし、斯かる方法は、中間ネットワークの出力側で多重化される信号が、中間ネットワークへの入力側で多重化される信号と実質的に（to  the  closest  bit）同一であることを保証しない。
【００１０】
また一方、本明細書で後述されるように、中間ネットワークへの入力側で受信される多重化信号と実質的に同一の多重化ストリームを中間ネットワークの出力側で取得することが必要とされうる。
【００１１】
基本的に、本発明の目的は、低ビットレート送信チャネルを有する中間ネットワークを介する高ビットレートでの多重パケットのストリームの伝送をシミュレートする解決法を提案することである。
【課題を解決するための手段】
【００１２】
本発明は、前述の問題を解決することを目的とする。従って、本発明は、送信チャネルが低ビットレートを有するところの中間ネットワークを介する高ビットレートストリームの送信のシミュレーションを可能にする解決法を提案する。
【００１３】
以上より、本発明は、ＭＰＥＧ−２タイプのフォーマットに従ってマルチメディアデータを伝送する多重パケットのストリームを処理する方法であって、該多重パケットのストリームは、低ビットレートでの送信チャネルを有する中間ネットワークに高ビットレートで送信される高ビットレートストリームである方法において、
前記送信チャネルによって送信される低ビットレートストリームにデータのパケットを挿入するために前記高ビットレートストリームを逆多重化するステップと、
低ビットレートストリームの組を同期させるように、該低ビットレートストリームで前記データのパケットの挿入を同期パケットの挿入と交互に行い、該低ビットレートストリームが前記データのパケットと前記同期パケットとの間で同じ交番及び同じ低ビットレートを有して前記中間ネットワークで送信されるようにするステップと
を実行する前記中間ネットワークの上流で前記高ビットレートストリームが扱われる、ことを特徴とする方法に関する。
【００１４】
本発明により、送信チャネルが低ビットレートを有するところの中間ネットワークを介する高ビットレートストリームの送信をシミュレートすることが可能となる。
【００１５】
結果として、中間ネットワークの出力側で受信される低ビットレートストリームは、中間ネットワークの入力側で受信される高ビットレートストリームと実質的に同一である高ビットレートストリームを出力側で生成するよう多重化され得る。
【００１６】
言い換えると、本発明は、受信されるデータを実質的に変更することなく、中間ネットワークを介する高ビットレートストリームの送信のシミュレーションを可能にする。
【００１７】
上述される主要な特徴に加えて、本発明に従う方法は、また、個々に又は技術的に可能な全ての組み合わせに従って考えられる、下記の付加的な特徴のうち１又はそれ以上を与える。
【００１８】
一実施例で、前記低ビットレートストリームでの前記同期パケットのポジショニングの同期は、前記低ビットレートストリームに前記同期パケットを同時に挿入することで得られる。
【００１９】
実施例に従って、各同期パケットは、該同期パケットが挿入される送信チャネルの識別子を送信する。
【００２０】
一実施例で、デマルチプレクサメモリは、前記高ビットレートストリームの逆多重化から前記データのパケットを記憶し、一方、コントローラは、前記低ビットレートストリームにおける前記同期パケットの導入期間を決定する。
【００２１】
実施例に従って、前記メモリから挿入される状態にあるデータのパケットがない場合に、フィラーパケットが前記低ビットレートストリームに挿入される。
【００２２】
実施例で、２つの連続するデータのパケットが２つの別個のストリームに割り当てられるように、前記データのパケットは、続けて、異なる低ビットレートストリームに割り当てられる。
【００２３】
実施例に従って、前記データのパケットは、所定の分配規則に従って割り当てられる。
【００２４】
一実施例で、同時に挿入される同期パケットについて同じであるシーケンス番号が前記同期パケットに割り当てられる。
【００２５】
実施例に従って、前記シーケンス番号は、同じ低ビットレートストリームの２つの連続する同期パケットの間で増加する。
【００２６】
一実施例で、同時に挿入される同期パケットについて同じであるプログラム時間リファレンス（ＰＣＲ）が前記同期パケットに挿入される。
【００２７】
実施例に従って、前記プログラム時間リファレンス（ＰＣＲ）はシーケンス番号として使用される。
【００２８】
実施例で、２つの別個の送信チャネルに従って冗長的に同じストリームが送信される。
【００２９】
実施例に従って、同じチャネルが時間に従って異なるチャネルにより冗長ストリームを送信する。
【００３０】
一実施例で、送信チャネルは、時間的に不連続に低ビットレートストリームを送信する。
【００３１】
実施例に従って、前記中間ネットワークは、ＭＰＥＧ−２タイプのフォーマットに従ってマルチメディアデータを伝送する。
【００３２】
本発明は、また、ＭＰＥＧ−２タイプのフォーマットに従ってマルチメディアデータを伝送する多重パケットのストリームを生成する方法であって、該多重パケットのストリームは、低ビットレートでの送信チャネルを有する中間ネットワークからの出力において高ビットレートで送信される高ビットレートストリームである方法において、
低ビットレートストリームの組を同期させるようにデータのパケットを抽出するステップと、
前記低ビットレートストリームに存在する同期パケットを用いて高ビットレートストリームで前記データのパケットを多重化するステップと
を実行する前記中間ネットワークからの出力で前記高ビットレートストリームが生成される、ことを特徴とする方法に関する。
【００３３】
本発明は、また、ＭＰＥＧ−２タイプのフォーマットに従ってマルチメディアデータを伝送する多重パケットのストリームを処理することを目的とするデマルチプレクサであって、低ビットレートでの送信チャネルを介して高ビットレートストリームの逆多重化からデータのパケットを送信する手段を有するデマルチプレクサにおいて、
前記高ビットレートストリームを逆多重化し、前記送信チャネルによって送信される低ビットレートストリームにデータのパケットを挿入する手段と、
低ビットレートストリームの組を同期させるように、該低ビットレートストリームで前記データのパケットの挿入を同期パケットの挿入と交互に行い、該低ビットレートストリームが、前述の方法に係る実施例の１つに従って、前記データのパケットと前記同期パケットとの間で同じ交番及び同じ低ビットレートを有して中間ネットワークで送信されるようにする手段と
を有することを特徴とするデマルチプレクサに関する。
【００３４】
本発明は、また、ＭＰＥＧ−２タイプのフォーマットに従ってマルチメディアデータを伝送する多重パケットのストリームを生成することを目的とするマルチプレクサであって、該多重パケットのストリームは、低ビットレートでの送信チャネルによって送信される低ビットレートストリームから生成される高ビットレートストリームであるマルチプレクサにおいて、
前記低ビットレートストリームに挿入されている同期パケットを用いて高ビットレートストリームで前記送信チャネルによって送信される前記低ビットレートストリームを多重化し、前記低ビットレートストリームが、前述の方法に係る実施例の１つに従って、データのパケットと前記同期パケットとの間で同じ交番及び同じ低ビットレートを有して中間ネットワークで送信されるようにする手段を有することを特徴とするマルチプレクサに関する。
【００３５】
本発明の他の特徴及び利点は、添付の図面を参照して、非限定的な例として以下に与えられている記載から明らかになるであろう。
【発明の効果】
【００３６】
本発明の実施形態によれば、低ビットレート送信チャネルを有する中間ネットワークを介する高ビットレートでの多重パケットのストリームの伝送をシミュレートする解決法が提供され得る。
【図面の簡単な説明】
【００３７】
【図１】本発明に従う方法のブロック図である。
【図２】本発明の種々の実施例に従う低ビットレートでのストリームを表す。
【図３】本発明の種々の実施例に従う低ビットレートでのストリームを表す。
【図４】本発明の種々の実施例に従う低ビットレートでのストリームを表す。
【図５】本発明の種々の実施例に従う低ビットレートでのストリームを表す。
【図６】本発明の種々の実施例に従う低ビットレートでのストリームを表す。
【図７】本発明の種々の実施例に従う低ビットレートでのストリームを表す。
【発明を実施するための形態】
【００３８】
異なる図に表されている要素は、特に明示されない限りは、同じ参照符号を用いる。
【００３９】
図１を参照すると、本発明のブロック図が記載されている。すなわち、中間ネットワーク１２を介する伝送を確保することを目的とする高ビットレートストリーム１０の処理が表されている。中間ネットワーク１２は、低ビットレートでの送信チャネル１４１，１４２，．．．１４ｎを有する。斯かる処理により、中間ネットワーク１２の下流で、すなわち出力側で供給されるストリーム１０’は、受信されるストリーム１０と実質的に同一である。
【００４０】
本発明に従って、この高ビットレートストリーム１０は、ＭＰＥＧ−２タイプのフォーマットに従ってマルチメディアデータを伝送する多重パケットの信号である。
【００４１】
ネットワーク１２の上流では、デマルチプレクサメモリ１８は、高ビットレートストリーム１０の逆多重化からデータのパケットを記憶する。よって、コントローラ２０は、中間ネットワーク１２の出力側に位置しているマルチプレクサ２２に中間ネットワーク１２を介して送信される低ビットレートストリーム１６１，１６２，．．．１６ｎへのこれらのデータパケットの挿入を命じることができる。
【００４２】
これらの低ビットレートストリーム１６１，１６２，．．．１６ｎから、マルチプレクサ２２は、デマルチプレクサ１８によって受信されるストリーム１０と実質的に同一であるストリーム１０’を生成する。
【００４３】
マルチプレクサ２２がかかる動作を実行することを可能にするよう、低ビットレートストリーム１６１，１６２，．．．１６ｎは図２に詳述される構造を有する。図２の構造に従って、同期パケットＭの挿入は、全ての低ビットレートストリームと同期するように実行される。
【００４４】
この実施例で、斯かる同期は、時点ｔ，ｔ１，ｔ２，．．．ｔｎでの同期パケットＭの挿入の同時性によって生ずる。
【００４５】
特に、これらの同期パケットＭはストリームの同期を可能にする。実際に、同期パケットＭは、前方のパケットＭ（時点ｎｔ）がｎ番目とされ、一方、後のパケットＭ（時点（ｎ＋１）ｔ）がｎ＋１番目とされるように順次にインクリメントする連続番号を有してよい。
【００４６】
この実施例の簡単な応用のために、“パケットヘッダ巡回カウンタ（continuity  counter）”として知られている、パケットヘッダの巡回カウンタ位置を使用することが可能である。
【００４７】
他の実施例では、付加的なカウンタがパケットの本体に挿入される。この実施例は、同期の処理を最適化しながら、同期パケットの繰り返しの率を増すことを可能にする。
【００４８】
例えば、連続性指標（continuity  index）は現在４ビットで定義されていることが思い出されなければならない。これは、カウンタが０にリセットされる前における１６個の値の定義を可能にする。この場合に、１０ミリ秒ごとにパケットＭを挿入することによって、第２の信号に対して１６０ミリ秒を超える遅延を有することとなる第１の中間信号は、これらの第２の信号との同期の問題を与えうる。言い換えると、最大同期遅延は１６０ミリ秒である。
【００４９】
８ビットでカウンタを用いることによって、２５６個の値がクロックリセットの前に定義され得る。この場合に、１０ミリ秒ごとの挿入を考えると、位相差許容範囲は２．５６秒にまでなる。
【００５０】
パケットＭは、また、中間ネットワークの出力側での高ビットレートストリーム１０’の生成に用いられる情報の伝送を可能にする。
【００５１】
実際に、同期パケットＭは、本実施例で、ＰＣＲをそれらの適応フィールドで伝送する能力を有するＭＰＥＧ−２  ＴＳパケットである。このＰＣＲ値は、巡回カウンタに取って代わる送信の最後での同期を可能にするよう、内部カウンタの代わりに使用されてよい。
【００５２】
同期パケットＭは、また、受信器のクロックアプリケーションの伝送及び同期を助けるために使用されてよい。
【００５３】
同期パケットＭの位置は同期要求によって決定される。
【００５４】
同期パケットＭは、下記の期間の間のコンプロマイズ（compromise）に対応すべき所定期間Ｔ（図２）を有して挿入される：
・帯域幅に対する影響を最小限とするよう十分に増された期間Ｔ、及び
・同期遅延を制限するよう十分に短い期間Ｔ。
【００５５】
最終的に、各同期パケットＭは、ＭＰＥＧ−２フォーマットに準拠してＰＩＤ（Packet  Identification  Data）と呼ばれるパケットの識別子に加えて挿入される送信チャネル識別子を有する点に留意すべきである。
【００５６】
高ビットレートストリームに存在するＰＩＤとパケットＭのＰＩＤとの間の混乱に係る如何なる危険性も回避するために、本発明の第１の実施例は、この高ビットレートストリームでパケットＭに割り当てられるＰＩＤを欠如させるようにする。
【００５７】
本発明の第２の実施例で、再マッピングメカニズムは、高ビットレートストリームに存在するＰＩＤについて、この高ビットレートストリームにないＰＩＤへと行われる。
【００５８】
後者の場合に、符号化されたＰＩＤは、高ビットレートストリームの再構成の間にＰＩＤの初期値がリストアされ得るように、同期パケット内で送信されることが確かにされるべきである。
【００５９】
更に、図２に示されるように、たとえパケットが低ビットレートストリームに挿入されなければならないとしても、メモリ１８に利用可能なデータパケットがないことが起こり得る。
【００６０】
この場合には、ＭＰＥＧ−２フォーマットのフィラーパケットＳに類似する１又は複数のフィラーパケットＳが、データのパケットの代わりに低ビットレートストリームに含まれる。
【００６１】
同期パケットＭの間のフィラーパケットＳの位置は、制約なく先験的である。従って、斯かるフィラーパケットＳは、送信を保つために送信信号に規則的に挿入されるべきＭＰＥＧ−２  ＴＳフィラーパケットとは異なる。
【００６２】
斯かるフィラーパケットＳにより、中間チャネルでの信号ストリームは、全ての低ビットレートストリーム１６１，１６２，．．．１６ｎについて一定且つ同一に保たれ得る。
【００６３】
フィラーパケットＳは、また、中間ネットワークの入力側及び出力側で認識されるＰＩＤによっても識別される。この段階で、ＭＰＥＧ−２フォーマットに特有のヌルパケット８１９１を使用すること又は斯かるパケットが高ビットレートストリームに存在する場合にこのパケットを変更することは、必要とされない点に留意すべきである。
【００６４】
高ビットレートストリームに存在するＰＩＤとの混乱の如何なる危険性も回避するために、高ビットレートストリームに存在するＰＩＤは、新しいＰＩＤにおいてこのＰＩＤを記憶する同期パケットを、高ビットレートストリーム１０’でのその回復を可能にするために符号化してよい。
【００６５】
従って、同期パケットＭにフィラーパケットＳのＰＩＤ値を組み込むことが設計され、これにより、中間チャネルの出力側にあるマルチプレクサは、中間ネットワークで生成されるフィラーパケットを、リストアされる高ビットレートストリームにそれらを組み込むようにフィルタ処理する。
【００６６】
本発明の第１の実施例で、相異なるＰＩＤが、同期パケットについて及びフィラーパケットについて使用される。例えば、Ｍパケットは、低ビットレートネットワークで８１９０ＰＩＤを有する。
【００６７】
同様に、フィラーパケットのＰＩＤは８１８９であり、その場合に、パケットＭのコンテンツに斯かる情報を挿入すると決定されてよい。
【００６８】
本発明の第２の実施例で、同じＰＩＤが２つのタイプのパケットについて使用される。これは、伝送されるデータのストリームに影響を与える。この場合に、同じＰＩＤ値（例えば、８１９０）を有する２つのパケットタイプの場合に、それらのコンテンツの解析は、同期パケットＭがフィラーパケットＳと区別されることを可能にする。
【００６９】
後者の場合に、２つのパケットを区別し、且つ／あるいは、２つのパケットタイプの間を識別するためにパケットヘッダ（適応フィールド制御ヘッダ）のビットを使用するよう、パケット本体で特定のフィールドを設けることが可能である。例えば、値００はフィラーパケットに帰属し、値０１又は１１は同期パケットに帰属する。
【００７０】
図３乃至７を参照すると、（連続番号によって識別される）データのパケット及び（挿入されるストリームの番号がｉである場合にＭｉによって識別される）同期パケットを分配する種々の実施例が記載されている。
【００７１】
図３には本発明の第１の実施例が示されており、この実施例で、逆多重化された高ビットレート信号からのパケットは、矢印で表される割当て順序に従って順次にストリーム１６１、１６２又は１６３に割り当てられている。
【００７２】
この実施例で、パケットの連続的な割当は、新たな割当サイクルが再び始まるまで、時間的に一定に、ストリーム番号の順序を追うことで実行される。
【００７３】
従って、このようなパケットの連続的な分配は所定の分配規則を制定するが、他の規則が本発明の適用範囲内で実施されてよい。
【００７４】
更に、中間チャネルは、それらのストリーム番号を同期パケットＭの挿入の時に交換してよい。これは、図４に示されるような、後の別な読出をもたらす。
【００７５】
従って、パケット１から２４の読出順序（ストリーム１６１、次いで１６２、次いで１６３）は、パケット２５から４４の読出の順序（ストリーム１６１、次いで１６３、次いで１６２）と相違する。
【００７６】
この点で、明りょうさのために、図２乃至７には、同期パケットに割り当てられる連続番号が示されている点に留意すべきである。斯かる連続番号は、同時に含まれる全ての同期パケットについて同じである。
【００７７】
なお、同期パケットは、同じストリームの中の２つの連続する同期パケットの間で増加する連続番号を持っていると考えられるべきである。
【００７８】
同様に、時間プログラムリファレンス（ＰＣＲ）が同期パケットに含まれてよい。この時間リファレンスは、同時に含まれる全ての同期パケットＭについて同じである。
【００７９】
図５に示されるように、２つの別個の送信チャネルに従って２つの冗長ストリームを送信することも可能である。従って、ストリーム１６４はストリーム１６２と同じであり、これは、信号送信信頼性に関する利点を提供することができる。
【００８０】
この場合に、同じ識別子を有する２つのストリームの存在下で、マルチプレクサ２２は、ストリーム１０’の再構成のために２つのストリームのうち１つしか保持しない。
【００８１】
なお、図６に示されるように、冗長ストリームが第１のストリーム１６２に次いで第２のストリーム１６４をシミュレートすることが可能である。
【００８２】
最後に、図７に示されるように、送信ストリーム１６４は時間的に不連続に使用されることが可能である。
【００８３】
従って、上述される多数の変形例から離れて、本発明は、中間ネットワーク１２の出力側であるマルチプレクサ２２への異なる低ビットレートストリームの送信を可能にする。
【００８４】
マルチプレクサ１２は、同期パケットＭの存在により、入力側で受信されるストリーム１０と実質的に同一である高ビットレートストリームを生成するよう低ビットレートストリーム１６１，１６２，．．．１６ｎを多重化する。
【００８５】
従って、受信されたストリームのビットレートに対して低ビットレートの分配チャネルを有する中間ネットワークを介するストリーム１０の送信がシミュレートされた。
【００８６】
本発明は、特に、衛星によるデータの送信の分野に適用され得る。この分野では、高ビットレートＭＰＥＧ−２ストリーム（＞５０Ｍｂｐｓ）を、より低いビットレート（＜５０Ｍｂｐｓ）を夫々が有する１より多いトランスポンダを用いて伝送することが有利でありうる。
【００８７】
本発明は多数の変形の余地がある。従って、本発明は、低ビットレートネットワークがＭＰＥＧ−２フォーマットを使用するところの実施例について記載されるが、中間チャネルでの同期パケットの挿入における同期を介して本発明の実施を可能にしながら、斯かる低ビットレートネットワークによって使用されるフォーマットを変形することが可能である。
【符号の説明】
【００８８】
１２  中間ネットワーク
１４  低ビットレート送信チャネル
１６  低ビットレートストリーム
１８  デマルチプレクサ
２０  コントローラ
２２  マルチプレクサ
Ｍ  同期パケット
Ｓ  フィラーパケット
【図１】
2010103990.tif 000003
【図２】
2010103990.tif 000004
【図３】
2010103990.tif 000005
【図４】
2010103990.tif 000006
【図５】
2010103990.tif 000007
【図６】
2010103990.tif 000008
【図７】
2010103990.tif 000009
【外国語明細書】
2010103990000001.pdf